(57)【要約】【課題】バイザ本体を外装表皮で容易に覆うことができるなどの製造の容易な車両用サンバイザを提供する。【解決手段】バイザ本体２と、そのバイザ本体２を覆う外装表皮３とを有する車両用サンバイザ１であって、外装表皮３は、バイザ本体２を差し込む開口部を有する袋状に形成され、その開口部は、カバー７によって覆い塞がれている。【選択図】　　　　図１
2004106795.tif 000002
【特許請求の範囲】
【請求項１】
バイザ本体と、そのバイザ本体を覆う外装表皮とを有する車両用サンバイザであって、
前記外装表皮は、前記バイザ本体を差し込む開口部を有する袋状に形成され、その開口部は、カバーによって覆い塞がれていることを特徴とする車両用サンバイザ。
【請求項２】
請求項１に記載の車両用サンバイザであって、
バイザ本体の外周一側には、前記バイザ本体を回動可能に支持する支軸が差し込まれる差込口が設けられ、前記差込口に差込まれた前記支軸と前記バイザ本体の外周一側に外装表皮の開口部が配設され、
カバーは、前記支軸が挿通される挿通孔を有し、前記バイザ本体の外周一側に取り付けられることで、前記バイザ本体の差込口周りと前記外装表皮の開口部を覆い塞ぐ構成になっていることを特徴とする車両用サンバイザ。
【請求項３】
バイザ本体を覆う外装表皮と、前記バイザ本体を回動可能に支持する支軸とを有する車両用サンバイザの製造方法であって、
開口部を備える袋状に形成された前記外装表皮と、前記バイザ本体の外周一側に設けられた差込口から前記支軸が差し込まれた前記バイザ本体とを準備し、
前記支軸が差し込まれた前記バイザ本体を前記外装表皮の開口部から前記外装表皮の袋内に収納する収納工程と、
前記支軸が挿通される挿通孔を有するカバーによって、前記バイザ本体の差込口周りと前記外装表皮の開口部を覆い塞ぐ閉じ工程とを有することを特徴とする車両用サンバイザの製造方法。
【請求項４】
請求項３に記載の車両用サンバイザの製造方法であって、
収納工程の前に、支軸の軸内に挿通されたリード線と、バイザ本体に取り付けられた電気部品とを電気的に接続する接続工程を有し、その接続工程の後に前記収納工程を行うことを特徴とする車両用サンバイザの製造方法。
【発明の詳細な説明】
【０００１】
【発明の属する技術分野】
この発明は、車両に取り付けられて車室内への光の侵入を防止する車両用サンバイザに関する。
【０００２】
【従来の技術】
車両用サンバイザは、従来種々のタイプのものが知られており、例えば下記の特許文献１の車両用サンバイザが知られていた。
特許文献１によると車両用サンバイザは、以下のように製造されている。すなわち開口部を備える袋状に表皮材を縫い合わせて外装表皮を形成する。次に外装表皮の開口部からその袋内にバイザ本体を収納する。そして外装表皮の開口部を引張りながら縫製し、開口部を閉じていた。
【０００３】
【特許文献１】
特開平１１−２０４６９号公報
【０００４】
【発明が解決しようとする課題】
しかし外装表皮を引張りながら開口部を閉じることは、外装表皮の張力に反して外装表皮を引張る必要があって容易な作業ではなかった。また引張った状態で縫製する場合は、その縫製位置を決定することも容易ではなかった。そのため外装表皮の開口部を閉じることは、容易ではなかった。
そこで本発明は、バイザ本体を外装表皮で容易に覆うことができるなどの製造の容易な車両用サンバイザを提供することを課題とする。もしくはその製造方法を提供することを課題とする。
【０００５】
【課題を解決するための手段】
前記課題を解決するために本発明は、上記各請求項に記載のとおりの構成を備える車両用サンバイザであることを特徴とする。
請求項１に記載の発明によれば、外装表皮は、バイザ本体を差し込む開口部を有する袋状に形成され、その開口部は、カバーによって覆い塞がれている。
すなわち車両用サンバイザは、外装表皮の開口部を覆い塞ぐためのカバーを有する。したがって外装表皮の開口部を閉じるために、従来のように例えば、外装表皮を引張って縫う必要がない。かくして外装表皮の開口部を容易に閉じることができ、車両用サンバイザは、容易に製造され得る。
なおカバーは、外装表皮に引っ掛けられることで取り付けられる構造であってもよいし、バイザ本体に固定的に取り付けられる構造であってもよい。
【０００６】
請求項２に記載の発明によると、バイザ本体の外周一側には、バイザ本体を回動可能に支持する支軸が差し込まれる差込口が設けられ、差込口に差込まれた支軸とバイザ本体の外周一側に外装表皮の開口部が配設される。またカバーは、支軸が挿通される挿通孔を有し、バイザ本体の外周一側に取り付けられることで、バイザ本体の差込口周りと外装表皮の開口部を覆い塞ぐ構成になっている。
すなわちカバーは、支軸が挿通される挿通孔を有し、バイザ本体の差込口周り、すなわち支軸周りを覆い塞ぐ構成になっている。そのため差込口周りに配設される外装表皮の端末をカバーによって覆い隠すことができ、車両用サンバイザを容易に製造することができる。
【０００７】
なお従来は、差込口周りに配設される外装表皮の端末を支軸とともに差込口に差込んで隠していた。そのため支軸を外装表皮よりも先に取り付けられず、製造工程に制限が加えられていた。これに対して本発明は、支軸を外装表皮よりも先に取り付けることも可能であって、製造工程に柔軟性がある。そのため車両用サンバイザを容易に製造することができる。
【０００８】
請求項３に記載の発明によると、開口部を備える袋状に形成された外装表皮と、バイザ本体の外周一側に設けられた差込口から支軸が差し込まれたバイザ本体とを準備する。そして支軸が差し込まれたバイザ本体を外装表皮の開口部から外装表皮の袋内に収納する収納工程を有する。そして支軸が挿通される挿通孔を有するカバーによって、バイザ本体の差込口周りと外装表皮の開口部を覆い塞ぐ閉じ工程とを有する。
すなわち支軸は、外装表皮に先だってバイザ本体に差し込まれる。そして外装表皮は、支軸よりも遅れてバイザ本体を覆う。
なお従来は、支軸が差し込まれる差込口周りに配設される外装表皮の端末を差込口に差込んで隠すために、支軸を外装表皮よりも後に取り付ける必要があった。
【０００９】
これに対して本発明は、バイザ本体の差込口周りを覆い塞ぐカバーを有する。そのため支軸を外装表皮に先だってバイザ本体に差し込むことができ、支軸を外装表皮に邪魔されることなくバイザ本体に差し込むことができる。
またカバーは、外装表皮の開口部を覆い塞ぐ。そのため従来のように例えば、外装表皮を引張って縫う必要がない。かくして外装表皮の開口部を容易に閉じることができ、車両用サンバイザは、容易に製造され得る。
なおカバーは、外装表皮に引っ掛けられることでバイザ本体の外周一側に取り付ける構造であってもよいし、バイザ本体の外周一側に固定的に取り付けられる構造であってもよい。
【００１０】
請求項４に記載の発明によれば、収納工程の前に、支軸の軸内に挿通されたリード線と、バイザ本体に取り付けられた電気部品とを電気的に接続する接続工程を有し、その接続工程の後に収納工程を行う。
すなわちリード線と電気部品（例えばランプ）との接続工程は、バイザ本体を外装表皮に収納する前に行う。したがってリード線と電気部品との接続は、外装表皮に邪魔されることなく行われ、リード線と電気部品とが容易に接続される。かくして車両用サンバイザは、容易に製造される。
【００１１】
【発明の実施の形態】
本発明の実施の形態に係る車両用サンバイザ１を図にしたがって説明する。
車両用サンバイザ１は、図１に示すように板状のバイザ本体２と、バイザ本体２を覆う外装表皮３を有する。また車両用サンバイザ１は、バイザ本体２の上端側に回動可能に取り付けられる支軸４と、その支軸４に回動可能に取付けられるブラケット１０を有する。
またバイザ本体２には、上端縁にサポート軸ユニット５が取り付けられ、片側面上にミラーユニット６と光源１１が取り付けられている。またバイザ本体２の一部外周縁（図１では右端縁）には、カバー７が取り付けられている。
なお光源１１は、特許請求の範囲に記載した電気部品に相当する。
【００１２】
支軸４は、樹脂材、金属材などから形成された中空筒状に形成され、図１に示すように中空筒状の中空部にはハーネス１２が挿通されている。なお支軸４は、一重構造に限らず、金属材から形成された内筒体と、その内筒体を覆う樹脂材から形成された外筒体とを有する二重構造のものであってもよい。
【００１３】
支軸４は、図１に示すように縦軸４０と横軸４１を有して略Ｌ字状に形成されている。そして横軸４１がバイザ本体２に差し込まれ、バイザ本体２は、横軸４１に対して軸周り方向に回動可能に支持される。また縦軸４０は、ブラケット１０を介して車室天井面に軸周りに回動可能に取り付けられる。
したがってバイザ本体２は、横軸４１の軸周りに回動されることで車室天井面に沿った収納位置と、フロントガラスに沿ったフロント位置との間で回動する。またバイザ本体２は、支軸４が縦軸４０周りに回動されることでフロント位置とサイドガラスに沿ったサイド位置との間で回動する。
【００１４】
バイザ本体２は、図３，４に示すように中空部を有するシェル状に形成されている。すなわちバイザ本体２は、一側面を構成する一側構成部材２ａと、他側面を構成する他側構成部材２ｂとを有し、厚み方向に分割構成される。そして一側構成部材２ａと他側構成部材２ｂとの間に中空部を有する。
またバイザ本体２は、図２に示すように片側面の略中央位置にミラーユニット６を取り付けるための凹部２０を有する。また凹部２０の底面には、光源１１が取り付けられている。
【００１５】
またバイザ本体２は、図３に示すようにカバー７が取り付けられる装着部２１を有する。装着部２１は、バイザ本体２の外周一側に沿って長穴状に形成され、バイザ本体２を貫通している。
またバイザ本体２の外周一側には、支軸４が挿通される差込口２２が装着部２１に並んで設けられている。
【００１６】
カバー７は、図３に示すように略板状に形成されたプレート部７０を有する。そしてカバー７は、そのプレート部７０の上端寄りに支軸４が挿通される挿通孔７２を有し、裏側面にはバイザ本体２に取り付けられる第一取付部７１と第二取付部７３を有する。
プレート部７０は、バイザ本体２の外周一側に倣った形状を有しており、バイザ本体２に取り付けられることで、バイザ本体２の外周一側に倣う。そして図４，５に示すようにバイザ本体２との協働によって外装表皮３の端末３ａ近傍を支持する。
【００１７】
第一取付部７１は、図４に示すようにプレート部７０の裏面からバイザ本体２側へ突出し、バイザ本体２の装着部２１に圧入されることでバイザ本体２に弾性的に取り付く。
第二取付部７３は、図５に示すように挿通孔７２周りのプレート部７０裏面からバイザ本体２側へ略筒状に突出し、バイザ本体２の差込口２２に圧入されることで弾性的にバイザ本体２に取り付く。
【００１８】
外装表皮３は、図２に示すように布材を素材とする表皮材を縫製することで袋状に形成されている。あるいは樹脂材を素材とする表皮材を高周波溶着することで袋状に形成されている。なお表皮材を縫製した場合の外装表皮３は、縫い目を目立たなくするため、縫製後に表裏反転させることが好ましい。
そして外装表皮３は、その一側にバイザ本体２を差し込むための開口部３０を有する。
また外装表皮３は、ミラーユニット６を取り付けるために一側面中央位置に開口窓３１を有する。また外装表皮３は、サポート軸ユニット５を取り付けるためにその上端縁に軸用開口部３２を有する。
【００１９】
ミラーユニット６は、図１に示すようにミラー６０とミラー６０を保持するホルダー６１を有する。そしてホルダー６１には、ミラー蓋６２がホルダー６１の上端縁側に回動可能に取り付けられている。このミラー蓋６２は、上方へ回動されることでミラー６０を露出し、下方へ回動することでミラー６０を覆う。
またホルダー６１には、光源１１を保護する保護カバー６３がミラー６０の隣りに取り付けられている。
【００２０】
またミラー蓋６２とバイザ本体２との間には、ミラー蓋６２の回動に連動して光源１１への電力を入り切りするスイッチ構造６４が設けられている。このスイッチ構造６４は、例えば以下の構成を有する。すなわちミラー蓋６２の回動根元側に取り付けられた可動端子と、バイザ本体２側に設けられた固定端子とを有する。そしてミラー蓋６２を開けた際に可動端子と固定端子とが接触し、光源１１と車両のバッテリ間の電気経路を閉じる。またミラー蓋を閉じた際には、可動端子と固定端子が離間して非接触になり、前記電気経路を開く。
【００２１】
サポート軸ユニット５は、図２に示すように第一取付部５０と第二取付部５１を有し、これらはインテグラルヒンジで連結されている。そして第一取付部５０と第二取付部５１は、外装表皮３の軸用開口部３２の開口端を覆った状態でバイザ本体２に取り付けられる。
また第一取付部５０は、サポート軸１４（図１参照）を構成する第一軸部５２を有し、第二取付部５１は、サポート軸１４を構成する第二軸部５３を有する。そして第一軸部５２と第二軸部５３は、バイザ本体２に形成された軸芯２３の外周側方を覆い、これによってサポート軸１４が構成される。なおサポート軸１４は、車室天井面に取り付けられたフックに対して脱着可能に取り付けられる部材であって、フックに取り付けられることでバイザ本体２の回動時の回動軸を構成する。
【００２２】
次に、車両用サンバイザ１の製造方法を図６にしたがって説明する。
先ず、バイザ本体２を準備する「バイザ本体準備工程」（図６のステップＳ１）を行う。すなわち一側構成部材２ａと他側構成部材２ｂを相互に装着し（図３参照）、中空板状のバイザ本体２を形成する。そしてバイザ本体２の凹部２０の底面に光源１１（例えば、バルブ、ランプ）を取り付ける（図２参照）。
【００２３】
次に「支軸・カバー取付工程」（図６のステップＳ２）を行う。すなわち支軸４の縦軸４０にブラケット１０を取り付ける。そして横軸４１をカバー７に挿通させる（図２参照）。これにより横軸４１がカバー７の挿通孔７２を挿通し、カバー７が横軸４１に対して回動可能に支持される（図３参照）。
そして横軸４１を図３に示すようにバイザ本体２の差込口２２からバイザ本体２の内部に差し込む。これにより支軸４がバイザ本体２に取り付けられ、カバー７が支軸４を介してバイザ本体２に支持される。
【００２４】
次に、光源１１を電気的に接続する「接続工程」（図６のステップＳ３）を行う。すなわち支軸４の中空軸内にハーネス１２を挿通させる（図２参照）。
このハーネス１２は、リード線１２ａと、リード線１２ａの両先端に接続されたコネクタ１２ｂを主体に構成されており、ハーネス１２の一端側を縦軸４０先端から挿入し、バイザ本体２の凹部２０へ引き出す。
一方、バイザ本体２には、光源１１を保持し光源１１に電力を供給する支持端子が設けられており、その支持端子には、ランプハーネス１３が接続されている。このランプハーネス１３は、支持端子に接続されたリード線１３ａと、そのリード線１３ａの先端に接続されたコネクタ１３ｂを主体に構成されている。
【００２５】
そしてランプハーネス１３のコネクタ１３ｂと、凹部２０に引き出されたハーネス１２のコネクタ１２ｂとを接続する。これにより光源１１は、ランプハーネス１３およびハーネス１２と電気的に接続される。そしてハーネス１２の他端が車両のバッテリと電気的に接続されることで、バッテリの電力が光源１１に供給され得ることになる。
【００２６】
次に、外装表皮３を準備する「外装表皮準備工程」（図６のステップＳ４）を行う。すなわち表皮材を縫製もしくは高周波溶着することで図２に示すように袋状に形成する。
なお「外装表皮準備工程」は、「バイザ本体準備工程」（ステップＳ１）、「支軸・カバー取付工程」（ステップＳ２）、「接続工程」（ステップＳ３）とは、別の工程で行うことができる。
【００２７】
次に、バイザ本体２を外装表皮３の袋内に収納する「収納工程」（図６のステップＳ５）を行う。すなわちバイザ本体２を外装表皮３の開口部３０から外装表皮３の袋内に収納する（図２参照）。なお外装表皮３の袋内にバイザ本体２を収納すると、外装表皮３の開口部３０が、支軸４と、支軸４が差し込まれたバイザ本体２の外周一側に配設される。
また外装表皮３は、開口窓３１と軸用開口部３２を有し、開口窓３１がバイザ本体２の凹部２０を露出し、軸用開口部３２がバイザ本体２の軸芯２３を露出する。
【００２８】
次に、外装表皮３の開口部３０を閉じる「閉じ工程」（図６のステップＳ６）を行う。すなわち先ず、外装表皮３の開口部３０の端末３ａを装着部２１（図４参照）と差込口２２（図５参照）に差し込む。そしてカバー７をバイザ本体２側へ取り付ける。すなわちカバー７の第一取付部７１を装着部２１に圧入し（図４参照）、第二取付部７３を差込口２２に圧入する。これによってカバー７は、外装表皮３の上からバイザ本体２に取り付けられる。そして外装表皮３の端末３ａは、カバー７とバイザ本体２との協働によって保持される。そしてカバー７が外装表皮３の開口部３０を覆い塞ぐ。
【００２９】
次に、サポート軸ユニット５をバイザ本体２に取り付ける「サポート軸取付工程」（図６のステップＳ７）を行う。すなわちサポート軸ユニット５の第一取付部５０と第二取付部５１をバイザ本体２に取り付ける（図２参照）。これによって第一取付部５０と第二取付部５１は、外装表皮３の軸用開口部３２の端末を覆い隠し、その端末をバイザ本体２との協働によって挟持する。そしてサポート軸ユニット５の第一軸部５２と第二軸部５３は、バイザ本体２の軸芯２３を覆い、サポート軸１４を構成する（図１参照）。
なお「サポート軸取付工程」は、「閉じ工程」（ステップＳ６）の前に行っても構わない。
【００３０】
次に、ミラーユニット６をバイザ本体２に取り付ける「ミラー取付工程」を行う（図６のステップＳ８）。すなわちミラーユニット６の一部を外装表皮３の開口窓３１に通し、バイザ本体２の凹部２０へ挿入する（図２参照）。そしてミラーユニット６をバイザ本体２に取り付ける。例えばミラーユニット６の係合部をバイザ本体２の凹部２０の壁面に設けられた係止部に係止させる。
これによってミラーユニット６がバイザ本体２に取り付けられ、ミラーユニット６は、バイザ本体２と協働して外装表皮３の開口窓３１の端末を挟持する。そしてミラーユニット６は、外装表皮３の開口窓３１の端末を覆い隠す。
なお「ミラー取付工程」は、「サポート軸取付工程」（ステップＳ７）の前に行っても構わないし、さらには「閉じ工程」（ステップＳ６）の前に行っても構わない。
【００３１】
以上のようにして車両用サンバイザ１が製造され、構成される。
すなわち車両用サンバイザ１は、外装表皮３の開口部３０を覆い塞ぐためのカバー７を有する。したがって外装表皮３の開口部３０を閉じるために、従来のように例えば、外装表皮３を引張って縫う必要がない。かくして外装表皮３の開口部３０を容易に閉じることができ、車両用サンバイザ１は、容易に製造される。またカバー７は、支軸４が挿通される挿通孔７２を有し、バイザ本体２の差込口２２周り、すなわち支軸４周りを覆い塞ぐ構成になっている。そのため差込口２２周りに配設される外装表皮３の端末３ａをカバー７によって覆い隠すことができ、車両用サンバイザ１を容易に製造することができる。
【００３２】
また支軸４は、外装表皮３に先だってバイザ本体２に差し込まれる。そして外装表皮３は、支軸４よりも遅れてバイザ本体２を覆う。
なお従来は、支軸が差し込まれる差込口周りに配設される外装表皮の端末を差込口に差込んで隠すために、支軸を外装表皮よりも後に取り付ける必要があった。
これに対して本実施の形態は、バイザ本体２の差込口２２周りを覆い塞ぐカバー７を有する。そのため支軸４を外装表皮３に先だってバイザ本体２に差し込むことができ、支軸４を外装表皮３に邪魔されることなくバイザ本体２に差し込むことができる。
またカバー７は、外装表皮３の開口部３０を覆い塞ぐ。そのため従来のように例えば、外装表皮を引張って縫う必要がない。かくして外装表皮３の開口部３０を容易に閉じることができ、車両用サンバイザ１は、容易に製造され得る。
【００３３】
またハーネス１２と光源１１との接続工程は、バイザ本体２を外装表皮３に収納する前に行う。したがってハーネス１２と光源１１との接続は、外装表皮３に邪魔されることなく行われ、ハーネス１２と光源１１が容易に接続される。かくして車両用サンバイザ１は、容易に製造される。
またカバー７は、挿通孔７２を有し、その挿通孔７２に挿通された支軸４に支持される。したがってカバー７をバイザ本体２に対して取り付ける際、カバー７は、支軸４によってバイザ本体２に対する位置決めがなされる。そのためカバー７を容易にバイザ本体２に取り付けることができる。
【００３４】
また本発明は、上記の実施の形態に限らず以下の形態であってもよい。
（１）すなわち上記の実施の形態では、カバーがバイザ本体に対して固定的に取り付けられていた。しかしカバーが外装表皮に引っ掛けられる掛止部を有し、その掛止部が外装表皮に掛け止められることで、カバーが外装表皮の開口部を覆い塞ぐ形態であってもよい。
（２）また上記の実施の形態では、カバーの取付部は、バイザ本体の装着部に圧入されることで取り付けられていた。しかし取付部が係止爪を有し、その係止爪が弾性的にバイザ本体の装着部の端縁に係止する構造であってもよい。
（３）また上記の実施の形態では、光源がバイザ本体に取り付けられていた。しかし光源に代えて他の電気部品がバイザ本体に設けられる形態であってもよい。例えば車室天井面に設けられた光源のスイッチ部材が電気部品としてバイザ本体に設けられる形態であってもよい。このスイッチ部材は、例えばバイザ本体の動きに連動してＯＮ・ＯＦＦする構造であって、バイザ本体を下げることでＯＮ状態となって光源への電源経路を閉じる。そしてバイザ本体を上げることでＯＦＦ状態となって光源への電源経路を開く構造である。
（４）また上記の実施の形態では、支軸がカバーよりも先にバイザ本体側に取り付けられていた。しかし支軸をカバーよりも後にバイザ本体側に取り付ける方法であってもよい。すなわち支軸が差込まれていないバイザ本体を外装表皮の袋内に入れ、その後、外装表皮の開口部をカバーによって覆い塞ぐ。そして最後に支軸をカバーおよびバイザ本体に差し込むことで車両用サンバイザを製造する方法であってもよい。
（５）また上記の実施の形態では、カバーが取り付けられる装着部と、支軸が挿通される差込口とがバイザ本体に別々に形成されていた（図３参照）。しかし、装着部と差込口が連続して一体状にバイザ本体に形成される形態であってもよい。
（６）また上記の実施の形態では、カバーが第一取付部と第二取付部とを別々に有していた。しかしカバーが第一取付部と第二取付部とを一体に有する取付部を有する形態であってもよい。
【００３５】
【発明の効果】
したがって本発明によると、外装表皮の開口部を覆い塞ぐカバーを有するため、車両用サンバイザを容易に製造することができる。
【図面の簡単な説明】
【図１】車両用サンバイザの斜視図である。
【図２】車両用サンバイザの各部品の斜視図である。
【図３】組付け前のバイザ本体、カバー及び支軸の図２の矢印Ｃ方向からの斜視図である。
【図４】図１のＡ−Ａ線断面図である。
【図５】図１のＢ−Ｂ線断面図である。
【図６】車両用サンバイザの製造工程図である。
【符号の説明】
１…車両用サンバイザ
２…バイザ本体
３…外装表皮
３ａ…端末
４…支軸
５…サポート軸ユニット
７…カバー
１１…光源
１２…ハーネス
１３…ランプハーネス
２１…装着部
２２…差込口
３０…開口部
７１…第一取付部
７２…挿通孔
７３…第二取付部
【図１】
2004106795.tif 000003
【図２】
2004106795.tif 000004
【図３】
2004106795.tif 000005
【図４】
2004106795.tif 000006
【図５】
2004106795.tif 000007
【図６】
2004106795.tif 000008